(57)【要約】本発明はソーシャルネットワークを利用してネットワークトランザクションを実現する情報処理システムを提供している。その特徴として、前記システムは製品情報を保存するのに用いる製品情報データベースと、ユーザの登録情報を公開し常駐させる個人消費空間と、前記個人消費空間で、前記登録情報を公開する情報公開モジュールと、登録情報の追加、置き換え、更新及び削除を行う登録情報管理モジュールと、複数の前記個人消費空間をソーシャルネットワークに結合するソーシャルネットワーク構築モジュールとを備えている。本発明はまたソーシャルネットワークを利用してネットワークトランザクションを実現する情報処理方法を提供する。本発明が提供するソーシャルネットワークを利用してネットワークトランザクションを実現する情報処理システムと方法は、ネットワークトランザクションユーザ間の情報共有と情報交流を実現できる。
2015528948.tif 000002
【特許請求の範囲】
【請求項１】
ネットワークトランザクションを実現するためにソーシャルネットワークを利用する情報処理システムであって、
ユーザの登録情報を公開し、常駐させるように構成された個人消費空間と、
前記個人消費空間において前記登録情報を公開するように構成された情報公開モジュールと、
前記登録情報の管理動作を実行するように構成された登録情報管理モジュールと、
複数の前記個人消費空間をソーシャルネットワークと結合するように構成されたソーシャルネットワーク構築モジュールと
を備えることを特徴とする情報処理システム。
【請求項２】
製品情報を保存するように構成された製品情報データベースと、
前記個人消費空間から前記登録情報を取得するように構成された取得モジュールと、
前記登録情報と前記製品情報とのマッチング処理を実行するように構成されたマッチングモジュールと、
前記製品情報のうち、前記登録情報との整合度が予め定められた閾値に達する製品情報を前記個人消費空間へフィードバックするように構成されたフィードバックモジュールと
を更に備えることを特徴とする請求項１に記載の情報処理システム。
【請求項３】
ユーザが前記個人消費空間にログインするのに用いるログインデータを受信し検証するように構成されたログインモジュールを更に備えることを特徴とする請求項１又は請求項２に記載の情報処理システム。
【請求項４】
前記ユーザがアップロードした個人情報を保存するように構成された個人情報保存空間を更に備え、
前記ログインデータは、前記ログインデータと前記個人情報保存空間に保存された個人情報とをマッチングし検証することにより検証されることを特徴とする請求項３に記載の情報処理システム。
【請求項５】
前記複数の個人消費空間のリソースとトランザクション情報を共有するように構成されたネットワーク情報交換モジュールを更に備えることを特徴とする請求項１乃至４の何れか一項に記載の情報処理システム。
【請求項６】
ソーシャルグループ構築モジュールを更に備え、複数ユーザの間で、各自の個人登録情報又はユーザ間の関係情報に従ってソーシャルグループを構築し、前記ソーシャルグループ内でリソースとトランザクション情報の共有を実現することを特徴とする請求項１乃至５の何れか一項に記載の情報処理システム。
【請求項７】
個人消費の過程で生成されたソーシャル情報を保存するように構成されたソーシャル情報保存モジュールを更に備えることを特徴とする請求項１乃至６の何れか一項に記載の情報処理システム。
【請求項８】
前記ログインデータの検証は、生体情報認識検証、情報マッチング検証及び識別認識検証のうちの１つ以上により実行されることを特徴とする請求項１乃至７の何れか一項に記載の情報処理システム。
【請求項９】
前記ユーザ間の関係情報は、ユーザ間の関係性、製品への関心及び個人的嗜好のうちの１つ以上を含むことを特徴とする請求項１乃至８の何れか一項に記載の情報処理システム。
【請求項１０】
前記ソーシャル情報は、友達情報、個人ミニブログ情報及び個人推薦情報のうちの１つ以上を含んでいることを特徴とする請求項１乃至９の何れか一項に記載の情報処理システム。
【請求項１１】
ネットワークトランザクションを実行するためにソーシャルネットワークを利用する情報処理方法であって、前記ネットワークトランザクションはネットワークトランザクションプラットフォーム上に実装され、前記ネットワークトランザクションプラットフォームには、製品情報データベースと共にユーザの個人消費空間が提供され、前記方法は、
個人消費空間においてユーザの登録情報を公開し、常駐させる情報公開ステップと、
前記登録情報の管理動作を実行する登録情報管理ステップと、
複数の前記個人消費空間をソーシャルネットワークと結合するソーシャルネットワーク構築ステップと
を含むことを特徴とする情報処理方法。
【請求項１２】
前記登録情報の管理動作を実行する登録情報管理ステップを更に含むことを特徴とする請求項１１に記載の情報処理方法。
【請求項１３】
前記個人消費空間から前記登録情報を取得する取得ステップと、
前記登録情報と製品情報データベースにおける製品情報とをマッチングするマッチングステップと、
製品情報データベース中の前記登録情報との整合度が予め定められた閾値に達する製品情報を前記個人消費空間へフィードバックするフィードバックステップと
を更に含むことを特徴とする請求項１１又は請求項１２に記載の情報処理方法。
【請求項１４】
ユーザが前記個人消費空間にログインするのに用いるログインデータを受信し検証するログインステップを更に含むことを特徴とする請求項１２又は請求項１３に記載の情報処理方法。
【請求項１５】
前記ログインデータは、前記ログインデータと個人情報保存空間に格納された個人情報とをマッチングし検証することにより検証されることを特徴とする請求項１１乃至１４の何れか一項に記載の情報処理方法。
【請求項１６】
前記複数の個人消費空間のリソースとトランザクション情報を共有するネットワーク情報交換ステップを更に含むことを特徴とする請求項１１-１５の何れか一項に記載の情報処理方法。
【請求項１７】
複数ユーザの間で、各自の個人登録情報又はユーザ間の関係情報に従ってソーシャルグループを構築し、前記ソーシャルグループ内でリソースとトランザクション情報の共有を実現するソーシャルグループ構築ステップを更に含むことを特徴とする請求項１１乃至１６の何れか一項に記載の情報処理方法。
【請求項１８】
個人消費の過程で生成されたソーシャル情報を保存するソーシャル情報保存ステップを更に含むことを特徴とする請求項１１乃至１７の何れか一項に記載の情報処理方法。
【請求項１９】
ソーシャルネットワーク構築モジュールが、コンピュータネットワーク技術を利用し、前記複数の個人消費空間を前記ソーシャルネットワークに構築することを特徴とする請求項１１乃至１８の何れか一項に記載の情報処理方法。
【請求項２０】
前記ログインデータの検証は、生体情報認識検証、情報マッチング検証及び識別認識検証のうちの１つ以上により実行されることを特徴とする請求項１１乃至１９の何れか一項に記載の情報処理方法。
【請求項２１】
前記ユーザ間の関係情報は、ユーザ間の関係性、製品への関心及び個人的嗜好のうちの１つ以上を含むことを特徴とする請求項１１乃至２０の何れか一項に記載の情報処理方法。
【請求項２２】
前記ソーシャル情報は、友達情報、個人ミニブログ情報及び個人推薦情報のうちの１つ以上を含んでいることを特徴とする請求項１１乃至２１の何れか一項に記載の情報処理方法。
【発明の詳細な説明】
【技術分野】
【０００１】
本発明はインターネットプラットフォームを利用してネットワークトランザクションを実現する技術に関する。特にソーシャルネットワークを利用してネットワークトランザクションを実現する情報処理システムと方法に関する。
【背景技術】
【０００２】
インターネット技術の絶え間ない発展に伴い、インターネットを利用してリソースの共有と情報の交互を実現する程度が高くなる一方、インターネットプラットフォームを利用してネットワークトランザクションを実現する要請が高まってきている。従来のネットワークトランザクションの中で、通常はインターネット技術を利用し、ユーザがインターネットなどツールを通じて自身が必要とする商品など情報を検索した後、自分で登録や注文を行い、ショッピングカートに入れて、最後に銀行支払などの方式を通してネットワークトランザクションを完了させる。言い換えれば、注文書の作成はユーザ自身が検索して完成させたもので、商品サプライヤーはユーザの注文情報を処理するだけでよい。
【０００３】
しかしながら、このような伝統的なネットワークトランザクション方式は同様又は類似の商品需要や登録内容を有するユーザの間の情報の共有や交換（インタラクション）が実現できないし、同時に商品サプライヤーに必要な商品需要に関する情報も提供できない。その他、ユーザと商品サプライヤーとの間は、一方向の連絡方式だけで双方向ではないため、ネットワークリソースの浪費になってしまう。
【発明の概要】
【０００４】
既存技術における上述の欠点を克服するため、本発明はソーシャルネットワークを利用してネットワークトランザクションを実現する情報処理システムを提供する。その特徴として、システムは、
製品情報を保存するように構成された製品情報データベースと、
ユーザの登録情報を公開し常駐させるように構成された個人消費空間と、
前記個人消費空間で、前記登録情報を公開するように構成された情報公開モジュールと、
登録情報の管理動作を実行するように構成された登録情報管理モジュールと、
複数の個人消費空間をソーシャルネットワークと結合するように構成されたソーシャルネットワーク構築モジュールとを備えている。
【０００５】
本発明の一つの好適な実施形態において、前記情報処理システムは、また、
製品情報を保存するように構成された製品情報データベースと、
前記個人消費空間から前記登録情報を取得するように構成された取得モジュールと、
前記登録情報と前記製品情報とのマッチング処理を行うように構成されたマッチングモジュールと、
前記製品情報における前記登録情報との整合度が予め定められた閾値に達する製品情報を前記個人消費空間へフィードバックするように構成されたフィードバックモジュールとを備えている。
【０００６】
本発明のもう一つの好適な実施形態において、前記情報処理システムは更に、ユーザが前記個人消費空間にログインするのに用いるログインデータを受信し、検証するように構成されたログインモジュールを備えている。
【０００７】
本発明のまたもう一つの好適な実施形態において、前記情報処理システムはまた前記ユーザがアップロードした個人情報を保存するように構成された個人情報保存空間を備えている。前記検証は前記ログインデータと前記個人情報保存空間に保存された個人情報とのマッチングをとり、検証することである。
【０００８】
本発明の更にもう一つの好適な実施形態において、前記情報処理システムはまた、前記複数の個人消費空間のリソースとトランザクション情報を共有するように構成されたネットワーク情報交換モジュールを備えている。
【０００９】
本発明の更にまたもう一つの好適な実施形態において、前記処理システムはまた、ソーシャル構築モジュールを備えている。複数のユーザの間で、各自の個人登録情報又はユーザ間の関係情報により、ソーシャルグループを構築し、そして前記ソーシャルグループの中でリソースとトランザクション情報の共有を実現する。
【００１０】
本発明のまたもう一つの好適な実施形態において、前記情報処理システムはまた個人の消費の過程で生成されたソーシャル情報を保存するように構成されたソーシャル情報保存モジュールを備えている。
【００１１】
本発明の更にもう一つの好適な実施形態において、ソーシャルネットワーク構築モジュールにおいて、コンピュータネットワーク技術を利用して、前記複数の個人消費空間を前記ソーシャルネットワーク内に構築する。
【００１２】
本発明の更にまたもう一つの好適な実施形態において、前記検証方法は、生体情報認識検証、情報マッチング検証及び識別認識認証のうちの１つ以上を含んでいる。
【００１３】
本発明のまたもう一つの好適な実施形態において、前記ユーザ間の関係情報は、ユーザ間の関係性、製品への関心及び個人的嗜好のうちの１つ以上を含んでいる。
【００１４】
本発明の更にもう一つの好適な実施形態において、前記ソーシャル情報は、友人情報、個人ミニブログ情報及び個人推薦情報のうちの１つ以上を含んでいる。
【００１５】
本発明の別の側面に従い、本発明はソーシャルネットワークを利用してネットワークトランザクションを実現する情報処理方法を提供する。前記ネットワークトランザクションはネットワークトランザクションプラットフォームにおいて完成し、前記ネットワークトランザクションプラットフォームにはユーザの個人消費空間が提供され、また、製品情報データベースを有する。当該方法は、
個人消費空間で公開し、ユーザの登録情報を常駐させる情報公開ステップと、
複数の前記個人消費空間をソーシャルネットワークに結合するソーシャルネットワーク構築ステップとを含んでいる。
【００１６】
本発明の一つの好適な実施形態において、当該方法はまた、前記登録情報の管理動作を実行する登録情報管理ステップを含んでいる。
【００１７】
本発明のもう一つの好適な実施形態において、当該方法はまた、
前記個人消費空間から前記登録情報を取得する取得ステップと、
前記登録情報と製品情報データベースにおける製品情報とのマッチングをとるマッチングステップと、
製品情報データベース中の前記登録情報との整合度が予め定められた閾値に達する製品情報を前記個人消費空間へフィードバックするフィードバックステップとを含んでいる。
【００１８】
本発明のまたもう一つの好適な実施形態において、前記情報処理方法は、またユーザが前記個人消費空間にログインするのに用いるログインデータを受信し、検証するログインステップを含んでいる。
【００１９】
本発明の更にもう一つの好適な実施形態において、前記検証とは前記ログインデータと前記個人情報保存空間に保存された個人情報とのマッチングを取って検証することである。
【００２０】
本発明の更にまたもう一つの好適な実施形態において、前記情報処理方法はまた、前記複数の個人消費空間のリソースとトランザクション情報を共有するためのネットワーク情報交換ステップを含んでいる。
【００２１】
本発明のもう一つの好適な実施形態において、前記情報処理方法はまた、ソーシャルグループ構築ステップを含んでいる。複数のユーザの間で、各自の個人登録情報又はユーザ間の関係情報により、ソーシャルグループを構築し、そして前記ソーシャルグループの中でリソースとトランザクション情報の共有を実現する。
【００２２】
本発明のまたもう一つの好適な実施形態において、前記情報処理方法はまた個人の消費の過程で生成されたソーシャル情報を保存するためのソーシャル情報保存ステップを含んでいる。
【００２３】
本発明の更にもう一つの好適な実施形態において、ソーシャルネットワーク構築モジュールにおいて、コンピュータネットワーク技術を利用して、前記複数の個人消費空間を前記ソーシャルネットワーク内に構築する。
【００２４】
本発明の更にまたもう一つの好適な実施形態において、前記検証方法は、生体情報認識検証、情報マッチング検証及び識別認識認証のうちの１つ以上を含んでいる。
【００２５】
本発明のもう一つの好適な実施形態において、前記ユーザ間の関係情報は、ユーザ間の関係性、製品への関心及び個人的嗜好のうちの１つ以上を含んでいる。
【００２６】
本発明のまたもう一つの好適な実施形態において、前記ソーシャル情報は、友人情報、個人ミニブログ情報及び個人推薦情報のうちの１つ以上を含んでいる。
【００２７】
本発明によるソーシャルネットワークを利用したネットワークトランザクションを実現する情報処理システム及び方法は、以下の利点を有する。
【００２８】
まず、当該情報処理システムと方法によれば、ネットワークトランザクションにおいて複数ユーザ間でリソースとトランザクション情報を共有することができる。
【００２９】
また、当該情報処理システムと方法によれば、ソーシャルネットワークとネットワークトランザクションとを結合することができ、ソーシャルネットワーク内でのユーザ間通信をネットワークトランザクションを介して実現でき、ソーシャルネットワークを通じてネットワークトランザクションの利便性を向上させることができる。
【００３０】
更に、ユーザ間の関係性、個人的嗜好及び商品への関心の情報に従って複数ユーザ間でソーシャルネットワークを構築でき、ソーシャルネットワークのインタラクション性を実質的に改善することができる。
【００３１】
最後に、そのようなソーシャルネットワークの構築により、商品サプライヤーに商品及びユーザグループの需要に関するより多くの情報を提供できる。
【図面の簡単な説明】
【００３２】
以下の図にある非制限的な実施形態に対する詳しい記載の参照により、本発明の他の特徴、目的と利点が更に明らかになる。
【図１】本発明の一つの好適な実施形態に対応する前記のソーシャルネットワークを利用してネットワークトランザクションを実現する情報処理システムの全体的な仕組みを示す図である。
【図２】本発明のもう一つの好適な実施形態に対応する前記のソーシャルネットワークを利用してネットワークトランザクションを実現する情報処理システムのモジュール化の仕組みを示す図である。
【図３】本発明の一つの好適な実施形態に対応する前記のソーシャルネットワークを利用してネットワークトランザクションを実現する情報処理方法のフローチャートである。
【図４】本発明の一つの好適な実施形態に対応する前記のソーシャルネットワークを利用してネットワークトランザクションを実現する情報処理方法におけるネットワーク情報交互のステップの方法を含むフローチャートである。
【図５】本発明の一つの好適な実施形態に対応する前記のソーシャルネットワークを利用してネットワークトランザクションを実現する情報処理方法におけるソーシャルグループ構築ステップの方法を含むフローチャートである。
【図６】、
【図７】本発明の一つの好適な実施形態に対応する前記ソーシャルネットワークを利用してネットワークトランザクションを実現する情報処理システムと方法において、ユーザが全体ネットワークトランザクションとソーシャルネットワーク構築を実現する過程の実施形態を示す図である。  図面の中で同じ又は類似の図面印は同じ又は類似の部品を代表する。
【発明を実施するための形態】
【００３３】
本発明をの更なる理解と説明のために、以下では図１から図７を参照し本発明について更に詳しい陳述を行う。
【００３４】
図１は本発明の一つの好適な実施形態に対応するソーシャルネットワークを利用してネットワークトランザクション（トランザクション）を実現する情報処理システムの全体的な仕組みを示す図である。図１に示すように、当該システム１００は、
製品情報を保存するように構成された製品情報データベース１０２と、
ユーザの登録情報を公開し常駐させるように構成された個人消費空間１０１と、
個人消費空間１０１で、登録情報を公開するように構成された情報公開モジュール１０３と、
登録情報の追加、置き換え、更新及び削除を行うように構成された登録情報管理モジュール１０４と、
複数の個人消費空間をソーシャルネットワーク３００と結合させるように構成されたソーシャルネットワーク構築モジュール１０５とを備えている
具体的に、本実施形態の中で、システム１００はネットワークトランザクションプラットフォーム１００として実装される。典型的には、当該ネットワークトランザクションプラットフォーム１００は、クロスプラットフォーム方式において利用しやすいＢ／Ｓ構造又はＣ／Ｓ構造として実装され、好適にはＢ／Ｓ構造として実装される。ネットワークトランザクションプラットフォーム１００における各モジュールは、当該構造に基づいて設計され、動作する。
【００３５】
製品情報データベース１０２は公知技術を採用して実現し、、製品情報を保存するように構成してもよい。当該製品情報は製品に関連する特性データと記述データを含むことが可能である。典型的に、製品情報データベース１０２はネットワークトランザクションプラットフォーム１００に統合される。他の実施形態では、当該製品情報データベース１０２は複数のネットワークサーバーからなる分散型サーバーシステム、サーバークラスタ又はサーバー論理マトリックスとして実装されてもよい。
【００３６】
本実施形態において、個人消費空間１０１がネットワークトランザクションプラットフォーム１００に統合され常駐している（本文中の術語「常駐」は、データを保存し、そしてそれに対していつでもデータの取り出しができることを指す）。当該個人消費空間１０１内に登録情報が保存され駐留している。
【００３７】
情報公開モジュール１０３は登録情報を公開し、個人消費空間１０１へ送信する。図１に示すように、典型的に、情報公開モジュールは端末２００のために、登録情報の詳しい内容の入力に用いる入力インターフェイスを提供する。当該入力インターフェイスは、例えば、入力データを受信可能なウェブページのような、端末２００が実行するブラウザ又はクライアント上のコンピュータデータ入力インターフェイスとして実装できる。ここで、本実施形態における端末２００の特定の形態にはパソコン端末が含まれるがこれに限定されるものではなく、スマートフォン、タブレット、携帯型インテリジェント端末又は他のインテリジェント端末を含む。
【００３８】
更に典型的に、当該登録情報はユーザが公開する個人的な需要情報であり、それは、購買予定製品の種類（カテゴリ）、名称、特徴、ブランド、価格、在庫量、販促情報、小売店、製品展示写真又はビデオ、製品のホームページのリンクのうちの１つ以上を含む。情報公開モジュール１０３は、個人的な需要情報のうちの１つ以上をデータ表の形式に処理し、個人消費空間１０１に公開する。好ましくは、使用端末２００の入力インターフェイスユーザが使用すると、情報公開モジュール１０３に上記の個人的な需要情報を印付け選択する又は書き込む入力操作をフィードバックする。
【００３９】
個人消費空間１０１は登録情報を保存し常駐させた後、それをプライバシー登録情報として設定することができる。承認されたユーザだけが、レビューや修正のために当該情報を呼び出すことができる。またネットワークトランザクションプラットフォーム１００のすべて又は一部の特定ユーザが当該登録情報をレビューすることができるように、登録情報を公開することができる。好適な実施形態では、上記の２つの方法を組み合わせて利用することができる。
【００４０】
登録管理モジュール１０４は登録情報を管理するように構成されている。特に、ユーザは当該モジュール内で、登録情報の管理動作を実行でき、例えば、登録情報の追加、置き換え、更新及び削除を行うことができる。
【００４１】
ソーシャルネットワーク構築モジュール１０５は、図に示すように複数の個人消費空間をソーシャルネットワーク３００に結合するように構成されている。具体的に、当該ソーシャルネットワーク３００は従来的なコンピュータネットワーク技術を利用して実現されてもよく、あるいは、現行のインターネットを利用した通信によりソーシャルネットワーク３００を形成してもよい。もちろん、ソーシャルネットワーク３００内のユーザ数の増加に従って、個別の又は特定のサーバー又は端末を設置してソーシャルネットワーク３００におけるユーザの情報交換、リソース共有とユーザ管理などを実現できる。図に示した個人消費空間数は４つであるが、これは例示であって、構築したソーシャルネットワーク３００内のユーザ数は、ユーザ間の関係性、個人的嗜好及び商品への関心の情報に応じて多様に選択することができる。さらに、ソーシャルネットワーク構築モジュール１０５は、ソーシャルネットワーク３００を構築する過程で、ユーザのソーシャル情報を管理でき、例えばソーシャル情報を転送することができる。具体的に、ソーシャルネットワーク３００は、個人消費空間を原点として構築し、個人消費空間はソーシャルネットワーク３００の基本単位であり、それぞれの個人消費空間はソーシャルネットワーク３００中の単一ユーザが必要とするソーシャル機能を担っている。個人消費空間の特性により、例えばユーザが個人的嗜好、複数のユーザ間の関係性及び類似商品への関心及び嗜好に従って自分で多種類のソーシャルネットワークを構築でき、情報交流、共有とトランザクション情報共有の多ルート、多元化が実現される。
【００４２】
更に、図２を参照すると、図２は本発明のもう一つの好適な実施形態に記載のソーシャルネットワークを利用してネットワークトランザクションを実現する情報処理システムのモジュール化の仕組みを示す図である。しかもそれは実際もっと多くの応用に関するニーズを満足させるため、図１に示したシステム１００を最適に改善したものである。その中の各部分について説明する。但し、図１に示した情報処理システムのモジュール図にあるものと同じモジュールは、ここで説明しない。
【００４３】
好ましくは、システム１００は、他の典型的なB/S構造のシステムと同様、ユーザが個人消費空間１０１をログインするために用いるログインデータを受信し検証するためのログインモジュール１０６を備えている。典型的に、本システム１００は登録されたユーザに基づくユーザ管理モードとして実現できる。ユーザが初めてシステム１００に登録した後、ユーザが使用端末２００を使用してシステム１００を操作するために次にアクセスする場合、まず少なくとも１組のユーザ名とログインパスワードを含めたログインデータをログインモジュールに送信し、ユーザ身分を検証するのに用いる。或いは、ユーザが初めてシステム１００に登録した後、少なくともそのユーザ名と登録パスワードなど個人情報をアップロードして、これによって、次回登録検証に用いるようにすることは選択可能である。当該システム１００は個人情報の保存に用いる個人情報保存空間１０７を備えることが選択可能である。それに応じて、登録モジュール１０６の中で行った検証過程が示すのは、登録データと個人情報保存空間に保存される個人情報をマッチング検証を行い、ユーザの身分を確かめ、これによって、システム１００にプリセット使用権限を開放することである。もちろん、ユーザのアップロードした個人情報の違いにより、ユーザ登録モジュール１０６が自動的に適切な検証方法を選ぶことができる。例えば、生体情報データ、従来的なユーザ名／パスワードデータ及び識別データの１つ以上をアップロードすることができる。それに応じて検証方法は、生体情報認識検証（例えば指紋データの検証）、情報マッチング検証（ユーザ名／パスワード検証）と識別認識認証（例えば、ポータブルコンピュータの認証キーの認証）のうちの１つ以上を含む。好適な実施形態中で、登録モジュール１０６は複数のデータ検証能力を有するように設計すべきである。
【００４４】
ユーザに個性的なサービスを提供する考慮に基づき、個人情報保存空間１０７の中に、例えば個人的なホームページ、個人的なドキュメント、個人なログ、個人的なアルバム／ビデオ、ソーシャルマップとグループなどよく見られる共通ネットワークコミュニティ機能モジュールを備えるのが好ましい。好適な実施形態の中で、個人情報保存空間１０７と個人消費空間１０１とを統合することができ、そして両者はデータを共有し、ユーザがそれに対する管理に便宜を図る。
【００４５】
好ましくは、システムはネットワーク情報交換モジュール１０８を備える。当該モジュールは複数の個人消費空間のユーザ間のリソース共有とトランザクション情報の共有が実現できる。好ましくは、ネットワーク情報交換モジュール１０８に各種の情報が記載でき、例えば、商品の品質、価格、在庫、関心度など情報、関連商品のトランザクション量の情報など、ユーザが商品を選択し購入するのに役立つ情報サポートを提供する。ネットワーク情報交換モジュール１０８間の接続は、ソーシャルネットワーク３００又は他のアプリケーション型ネットワークにより実現される。当該接続は、従来のネットワーク構築モデルを採ってもよいし、カスタマイズのネットワーク構築モデルを採ってもよく、複数のネットワーク交換モジュール１０８の間で相互通信や情報交換が可能となるようにする。
【００４６】
好ましくは、システムはソーシャルグループ構築モジュール１０９を備える。当該モジュールにおいて、複数のユーザが各自の個人登録情報又はユーザ間の関係情報に従って、ソーシャルグループでリソースとトランザクション情報の共有を実現する。一般的に、ソーシャルグループは親族や友人のグループでもよい。また、ユーザが自分の登録情報、例えば類似商品に対して同じ興味を有する業務に従い、当該業務に属するソーシャルグループを構築することができる。また関係情報によっては、顧客と業者との間でソーシャルグループが構築されても良い。同時に、ソーシャルグループはソーシャルネットワークの一種の特別な実現方式になってもよい。要するに、ソーシャルグループの中で非常によい情報交換と通信が実現できるし、情報交換と通信過程で、パスワード、情報認証など検証方法を設定することで、情報交換と通信の安全性を高めるようにする。ユーザ間の関係情報はユーザ間の関係性、製品への関心と個人的嗜好のうちの１つ以上を含むことができる。例えば、ユーザ間の関係情報は、ユーザ間の親族関係のようなユーザ自身の属性関連情報でもよいし、上下関係などのようなユーザ間の社会的関係でもよい。
【００４７】
好ましくは、システムはソーシャル情報保存モジュール１１０を備える。ソーシャル情報保存モジュール１１０の中に、友人情報モジュール、グループ情報モジュール、話題情報モジュールとミニブログ情報モジュールを含んでいる。その中、友人情報モジュールは人探し機能と友人推薦機能を持っている。グループ情報モジュールはユーザ自身の嗜好などによって構築された交流グループである。話題情報モジュールは個人が興味のある話題は他のユーザに知られることによって、他のユーザと関連を作って、同一又は類似の興味のある話題について情報交流と交換をする。ミニブログ情報モジュールの中には、例えばミニブログアドレスなどの関連情報のような個人のミニブログ情報を含む。同時にソーシャル情報保存モジュール１１０とソーシャルネットワーク構築モジュール１０５は、ミニブログ公開、転送、評価、保存とシェア機能を有し、具体的に、ソーシャルネットワーク構築モジュール１０５はミニブログの中に文章などを公開できると共に、例えば交友情報、話題情報などの関連するソーシャル情報を転送できる。その他、業者の商店配達情報、製品品質情報のような製品関連情報がコメントされても良い。また、良い製品情報を収集し、他のユーザとシェアしてもよい。
【００４８】
通常、システムは登録情報に対するネットワークトランザクション機能を統合し、好ましくは当該システムは、また、
個人消費空間から登録情報を取得する取得モジュールと、
登録情報を製品情報とマッチング処理するためのマッチングモジュールと、
製品情報のうち、登録情報との整合度が予め定められた閾値に達する製品情報を個人消費空間にフィードバックするフィードバックモジュールを備えている。
【００４９】
具体的に、取得モジュールは個人消費空間１０１から登録情報を取得するのに用い、典型的に、バックグラウンド処理の過程で、取得モジュールは当該登録情報をマッチングモジュールが識別可能で、かつ、比較可能なデータに変換し、マッチングモジュールに送信する。
【００５０】
マッチングモジュールは製品情報データベース１０２とデータのインタラクションを行い、登録情報を製品情報データベース１０２に保存された製品情報とマッチングする。マッチング処理の具体的な実現方法は、登録情報と製品情報とのキャラクタマッチング、文字マッチング、図形マッチング、意味解釈マッチング又は曖昧マッチングを含むが、それに限定されるものではない。典型的に、マッチングモジュールは少なくとも当該登録情報によって、例えば、キーワード、図形特徴値、語句の既知の意味解釈特性（例えば同義語など）などの１つ以上のマッチング因子を生成することができる。それに応じて、当該マッチング因子に基づき、製品情報データベース１０２に検索のマッチング要求を出して結果を獲得することになる。以上、当該マッチング因子によって、製品情報データベース１０２においてマッチングを実現する工程は本分野の中で常用のデータベースの検索技術であり、簡便なためにここで述べない。
【００５１】
フィードバックモジュールは、製品情報データベース１０２及び個人消費空間とデータのインタラクションを行い、製品情報データベース１０２に保存された製品情報のうち、登録情報との整合度が予め定められた閾値に達する製品情報を個人消費空間１０１にフィードバックするのに用いる。具体的に、実際のアプリケーションでは、製品情報のデータ量が比較的大きいため、閾値を設定する目的は、当該製品情報の中から、登録情報に対して的確なマッチング情報を選び出すことにある。つまり当該マッチング情報は製品情報のサブセットである。製品情報は実際の製品属性の電子データを陳述するのに用いる。典型的に、当該製品情報は少なくとも製品の種類、名称、特徴、ブランド、価格、在庫、販促情報、小売店、製品展示写真或いはビデオ、製品ホームページのリンクのうちの１つ以上、及び製品のトランザクション履歴又は評価情報が含まれている。
【００５２】
図２は取得モジュール、マッチングモジュール及びフィードバックモジュールを示していないが、それらのモジュールを現行のコンピュータ技術によってシステムに統合できることは、当業者であれば直ちに理解するであろう。
【００５３】
好ましくは、各モジュールはリアルタイムで動作し又は定期的に動作することができる。上記モジュールが定期的に動作又はリアルタイムで動作する合理的構成により、システム１００の処理効率が高められ、アクセス量がピーク値に達する場合のシステム負荷を下げることができる。
【００５４】
尚、図１と図２に示した実施形態における関連する用語の定義を参照しつつ、図３から図５を参照して本発明が提供する方法を説明する。
【００５５】
図３は本発明の一つの好適な実施形態に対応するソーシャルネットワークを利用してネットワークトランザクションを実現する情報処理方法のフローチャートである。図３に示すように、方法は、他の典型的なB／S構造システムと同様に、ユーザが個人消費空間１０１にログインするのに使用するログインデータを受信し、検証するログインステップＳ３０１を有する。典型的に、本方法により使用されるシステム１００は登録ユーザに基づくユーザ管理モードとして実現することができる。ユーザが最初にシステム１００に登録した後、当該システム１００を操作するために次にアクセスする場合、ユーザ認証のために、ユーザ名とログインパスワードを含む少なくとも１組のログインデータをログインモジュール１０６に送信する。或いは、ユーザが最初にシステム１００に登録した後、次にログインする場合に認証の促進のためにユーザ名とログインパスワードのような個人情報を少なくともアップロードしてもよい。好ましくは、ログインモジュール１０６で実行される検証は、ログインデータと個人消費空間内の個人情報保存空間に保存されている個人情報とをマッチングして検証することで、ユーザを識別し、これによって、システム１００にプリセットした使用権限を開放することをいう。もちろん、ユーザのアップロードした個人情報の違いにより、自動的に適切な検証方法を選ぶことができる。例えば、生体情報データ、従来的なユーザ名／パスワードデータと、識別データのうちの１つ以上をアップロードする場合、それに応じて検証方法は、生体情報認識検証（例えば指紋データの検証）、情報マッチング検証（ユーザ名／パスワード検証）と識別認識認証（例えば、ポータブルコンピュータの認証キーの認証）のうちの１以上を含む。
【００５６】
その後、ステップは情報公開ステップＳ３０２に進み、ユーザの登録情報を個人消費空間内で公開し常駐させる。ユーザが個人消費空間で登録情報を公開すると、登録情報は個人消費空間内に常駐される。登録情報は個人消費空間が他のネットワーク保存位置から取得してもよいし、或いは、個人消費空間内に登録情報公開用の個別のモジュールが構築されても良い。登録情報は通常は個人消費空間内の個人登録情報モジュールに保存され、るか、或いは、ユーザが他人と通信する共有モジュールに保存される。もちろん、他の保存位置と保存方式を採ってもよい。
【００５７】
また、登録情報の追加、置き換え、更新及び削除を実行するために登録情報管理ステップＳ３０３がある。当該ステップは主に登録情報のリアルタイム管理を実現する。例えば情報の適時の更新、削除などがある。これは個人消費空間内の保存空間の有効利用に役立つ。また、ユーザの登録情報の管理をより簡単化させる。別の実施形態では、ステップＳ３０３は、ステップＳ３０２を実行した後直ちには実行されない。例えば、ステップＳ３０４が直ちに実行され、ステップＳ３０３はステップＳ３０４が実行された後に実行してもよい。
【００５８】
最後に、処理はソーシャルネットワーク構築ステップＳ３０４に進み、複数の個人消費空間をソーシャルネットワークと結合する。具体的に、ソーシャルネットワークは、個人消費空間を原点として構築され、個人消費空間はソーシャルネットワークの基本単位であり、それぞれの個人消費空間はソーシャルネットワークにおける単一ユーザにより必要とされるソーシャル機能を担っている。個人消費空間の特性により、例えばユーザが個人的嗜好、複数のユーザ間の関係性及び類似商品に対する関心及び嗜好に従い、自身の様々なソーシャルネットワークを構築でき、情報交流、共有とトランザクション情報の共有の多ルート、多元化が実現される。
【００５９】
本方法はネットワークトランザクションに基づくソーシャルネットワークを実現し、本方法は好ましくは以下のステップを含む（図３に示されていない）。
【００６０】
個人消費空間から登録情報を取得する取得ステップと、
登録情報と製品情報データベースにおける製品情報とをマッチングするマッチングステップと、
製品情報データベースの登録情報との整合度が予め定められた閾値に達する製品情報を個人消費空間へフィードバックするフィードバックステップを有する。
【００６１】
図４を参照すると、図４は本発明の好適な実施形態に対応する、ソーシャルネットワークを利用したネットワークトランザクションを実現する情報処理方法のフローチャートを示す。ここには、ネットワーク情報交換のステップが含まれる。ここで図３に示した方法フローチャートと同じステップについては、ここで改めて説明しない。本フローチャートに示す方法では、ステップＳ３０４の後に以下のステップを実行する。
【００６２】
ネットワーク情報交換ステップＳ３０５は、複数の個人消費空間でのリソースとトランザクション情報の共有を可能とする。具体的に、ソーシャルネットワークが構築された後、ソーシャルネットワーク内の全ての個人消費空間は、すべて当該ネットワークにあるリソース及び全ユーザのトランザクション情報を共有できる。好ましくは、リソースの共有及びトランザクション情報の共有を階層的に設定するために、ソーシャルネットワークにおける複数の個人消費空間に対して異なる権限を設定してもよい。さらに、複数の個人消費空間はソーシャルネットワーク以外の例えば従来のインターネットなどの他のネットワークを通して情報交換及びリソース共有を実現できる。
【００６３】
図５を参照すると、図５は本発明の好適な実施形態に対応する、ソーシャルネットワークを利用したネットワークトランザクションを実現する情報処理方法のフローチャートを示す。ここには、ソーシャルグループ構築のステップが含まれる。ここで、図４に示した方法フローチャートと同じステップについては、ここで改めて説明しない。ソーシャルグループ構築のステップＳ５０１は図５に示す実施形態に追加される。ステップＳ５０１において、複数のユーザは各自の個人的な登録情報又はユーザ間の関係情報に従い、ソーシャルグループ内でリソースとトランザクション情報の共有を実現する。一般に、ソーシャルグループの構築はネットワーク情報交換ステップの後、あるいは、その途中で実現してもよい。図に示すように、ステップＳ５０１がステップＳ３０５に続くのは例示に過ぎない。更に、ソーシャルグループは親戚や友人のグループでもよい。また、ユーザが自分の登録情報、例えば類似商品に対して同じ興味を有する業務に従い、当該業務に属するソーシャルグループを構築することができる。また関係情報によっては、顧客と業者との間でソーシャルグループが構築されても良い。同時に、ソーシャルグループはソーシャルネットワークの一種の特別な実現方式になってもよい。要するに、ソーシャルグループの中で非常によい情報交換と通信が実現できるし、情報交換と通信過程で、パスワード、情報認証など検証方法を設定することで、情報交換と通信の安全性を高めるようにする。
【００６４】
好ましくは、方法はまた以下のステップを含む。個人が消費の過程で生成されたソーシャル情報を保存するソーシャル情報保存モジュールを個人消費空間に生成する。具体的に、ソーシャル情報は友達グループの情報、親戚の情報、友人の情報などのユーザにとって非常に重要で実用的な情報を含み、ユーザによる個人消費空間の管理に必要な情報を提供する同時に、ソーシャル情報はユーザのために今後新しいソーシャルネットワーク又はソーシャルグループの構築に必要な情報サポートを提供する。
【００６５】
本発明を更に理解するために、次は本発明のソーシャルネットワークを利用したネットワークトランザクションを実現するシステムの実例を挙げる。本発明が対象とする技術的なソリューション及び発明の趣旨がより明らかなものとなろう。具体的には次の通りである。
【００６６】
まず、ユーザが個人消費空間を利用してネットワークトランザクションを実現する全体の流れから本発明を説明する。
【００６７】
ユーザはネットワークトランザクションプラットフォームに個人消費空間を開設する。その具体的な実現形式は、マイストア（私の店）を設立することである。マイストアは商品登録構造を有する。本実施形態では、商品登録構造は１ウェブページ内の１つ以上の商品棚として任意的に設定される。商品棚はユーザが登録情報を公開するキャリヤであるし、また、プロセッサが登録情報を取得するキャリヤでもある。商品棚は固定的な商品棚であっても良いし、或いは、カスタマイズされた商品棚であってもよい。典型的に、商品棚は１人以上のユーザによりカスタマイズされた買物タグを搬送する。商品棚は、例えば買物タグにより検索して得られた単品の商品アイテムを陳列して示す。また、ユーザが商品を登録する過程で、登録確認を完了した後、登録情報と関連する単一のアイテムを自身の商品棚に置く。登録方法には通常以下の二つがある。
【００６８】
検索による登録：サーチ結果に従って登録し、セット登録を実現できる。
【００６９】
直接的な登録：登録対象のホームページで一対一の登録が実現できる。
【００７０】
もちろん、他の登録方式を採ることもできる。ユーザ自身のリソースの違いに応じて、様々な登録方式の選択又は組合せができる。
【００７１】
登録対象は通常、小売店、カテゴリ、ブランド、単品を含む。もちろん、例えばアクティビティと価格範囲のような他の登録対象を設定してもよい。
【００７２】
ユーザに関する限り、登録商品の由来は主に自身で登録した小売店、マイストア、及び、親戚、友人、家族、興味が共通する友人といった自身の友人からである。
【００７３】
次に、図６及び図７を参照してユーザがソーシャルネットワークを利用してネットワークトランザクションを実現する実例を説明する。
【００７４】
ユーザはまずネットワークインターフェースを介してマイストアのホームページにログインする。図６に示すように、システムはユーザが新しいユーザかどうかを尋ねる。新しいユーザの場合は、登録を行った後、初めてマイストアにログインできる。マイストアにログインした後、ユーザは図６に示すようなインターフェイスを見ることができる。図６には「公開」ボタンがあり、ユーザが「公開」ボタンを押して、「登録」情報を公開することができる。その他、マイソーシャルマップ（図に示した人数は４０人である）を有し、その中には小中学校の同級生、大学の同級生、同僚、親戚と一般の友人、あなたと知り合いたい人、及び、知り合う可能性のある人を含む。好ましくは、マイソーシャルマップは、例えば私親友、私のソーシャルグループなどの他のモジュールを含んでもよい。
【００７５】
図７にソーシャルグループを含む実例を示した。図７に示すように、ユーザのソーシャルグループに対して選択でき、図の中にLVMグループ、グループ１と天地新光を含む。LVMグループはLVMブランドに興味のある友人、同級生、友達などを示す。また、例えばチームの友達などのように、グループ１の中でユーザがグループをカスタマイズできる。尚、天地新光はサービス提供者や業者の情報を表し、つまり商品サプライヤーを選択することになる。ユーザのソーシャルグループのタイプ及び数は様々に選択し設定できることが明らかである。そして推薦機能も示されていて、つまり自分の興味ある商品の情報を友達又はソーシャルグループに推薦し、ソーシャルネットワークを利用してネットワークトランザクションを実現する機能が実現される。
【００７６】
マイストアは、ネットワークトランザクションプラットフォーム上でグラフィカル・ユーザ・インタフェース(GUI)又はホームページの形式で実現される。図６及び図７に示した例は単なる例示であって、詳細な説明は提供していない。本発明の利点をより明らかなものとするために、ユーザがマイストアとソーシャルネットワークを利用して個人ネットワークトランザクションを実現する全体の手続を説明しただけである。
【００７７】
ここで留意すべきは、より多くの実施形態において、本実施形態に示した商品棚に限定されることなく、ユーザが公開した登録情報及び登録情報によって獲得した商品のリスト情報を展示し管理するように、他の類型のページ機能モジュールが設計できる点である。
【００７８】
例示と実施形態及びその利点を詳しく説明したが、本発明の精神と添付された特許請求の範囲に記載された範囲を逸脱せずに、これらの実施形態に対して各種の変更、入れ替え及び修正をすることができることが理解されるべきである。他の例に対して、本分野の通常の技術者が本発明の保護範囲を保証する同時に、プロセスステップの順序を変更できることが理解されるであろう。
【００７９】
本発明が提供するソーシャルネットワークを利用してネットワークトランザクションを実現する情報処理方法はプログラマブルロジックデバイスを使って実現できるし、コンピュータプログラムソフトに実施できる。例えば、本発明による実施形態はコンピュータプログラム製品にすることができる。当該プログラム製品を運行してコンピュータに対して示した方法を実行させる。コンピュータプログラム製品はコンピュータ可読記憶媒体を含む。当該媒体にコンピュータプログラムロジック又はコード部分を含み、上記方法の各ステップを実現するのに用いられる。コンピュータ可読性記憶媒体はコンピュータに搭載される内蔵媒体にすることができるし、又はコンピュータ本体から取り外し可能なリムーバブルメディア（例えばホットプラグ技術記憶装置）にすることもできる。内蔵媒体は再書込み可能の不揮発性記憶装置を含んでいるが、それには限定されない。例えばRAM、ROM、フラッシュメモリとハードディスクを含む。リムーバブルメディアは、光学記憶媒体（例えばCD-ROMとDVD）、光磁気記憶媒体（例えばMO）、磁気記憶媒体（例えばテープ又はポータブルハードディスク）、内蔵で再書込み可能の不揮発性記憶装置の媒体（例えばメモリーカード）と内蔵ROMの媒体（例えばROM箱）を含んでいるが、それとは限らない。
【００８０】
本分野の技術者は理解すべきは、如何なる適切なプログラミング装置を持つコンピュータシステムはすべてプログラム製品に含まれた本発明の方法のステップを実行することができる。本明細書に記載した多くの具体的な実施方法はすべてソフトウェアに重点を置いたが、ファームウエアとハードウエアとして本発明の提供する方法を実現する代わりの実施形態が同様に本発明の範囲内に含まれている。
【００８１】
本分野の技術者にとって、本発明は以上の手本に示す実施形態の細部に限らないことが明らかである。その上に本発明の精神又は基本特徴と乖離しない情況の下で、他の具体的な形式で本発明を実現することができる。そのため、どの点から見るにしても、すべて実施形態を例示的なもので、制限的なものではないと見なすべきである。本発明の範囲は請求項に限定され、上述の説明に限定されない。そのため、それは請求項に入る同等要件の意味と範囲内のすべての変化を本発明内に包括させることを目指している。請求項中の如何なる図印を制限に関わる請求項だと見なしてはならない。その外に、「含む（備える）」という言葉は他の部品、ユニット又はステップを排除しなく、単数は複数を排除しないものとする。システム請求項の中に述べる複数の部品、ユニット又は装置も１つの部品、ユニット又は装置によって、ソフトウェア又はハードウエアを通じて実現することができる。
【００８２】
以上掲示されたのはただ本発明のより良い実施形態だけで、もちろんこれによって、本発明の請求範囲を制限することはできなく、そのため、本発明の請求項権利によって行った同等変化は、依然として本発明に包括された範囲に属する。
【図１】
2015528948.tif 000003
【図２】
2015528948.tif 000004
【図３】
2015528948.tif 000005
【図４】
2015528948.tif 000006
【図５】
2015528948.tif 000007
【図６】
2015528948.tif 000008
【図７】
2015528948.tif 000009
【国際調査報告】
2015528948.tif 000010
2015528948.tif 000011
2015528948.tif 000012
2015528948.tif 000013